(57)【要約】【課題】ブレーキペダルの踏み込み操作量を検出するためのセンサを設けることなく、アクセルペダルおよびブレーキペダルの同時踏み込みに起因する車両の加速や発進を抑える。【解決手段】機関ＥＣＵ３１により算出される内燃機関１１の出力トルクと加速度センサ３４により検出した車両１０の加速度とに基づいてブレーキペダル１７の踏み込み操作力を推定する。その推定されるブレーキペダル１７の踏み込み操作力が第２判定値以上であり、且つアクセルセンサ３３により検出されるアクセルペダル２２の踏み込み操作量が第１判定値以上であるときに、内燃機関１１の出力トルクを制限する。車両１０がスリップ状態であると判定されるときには、上記出力トルクの制限を禁止する。【選択図】図１
2012097622.tif 000002
【特許請求の範囲】
【請求項１】
駆動源としての内燃機関（１１）と、車両加速度を検出する加速度センサ（３４）と、アクセルペダル（２２）の踏み込み操作量を検出するアクセルセンサ（３３）とを備えた車両（１０）に適用されて、
前記内燃機関（１１）の出力トルクを算出する出力算出手段（３１、Ｓ１０４）と、
前記加速度センサ（３４）により検出した前記車両加速度および、前記出力算出手段（３１、Ｓ１０４）により算出した前記出力トルクに基づいてブレーキペダル（１７）の踏み込み操作力を推定する踏力推定手段（３２、Ｓ１０７，Ｓ１０８，Ｓ１１２，Ｓ１１５）と、
前記アクセルセンサ（３３）により検出される前記踏み込み操作量が第１判定値以上であり、且つ前記踏力推定手段（３２、Ｓ１０７，Ｓ１０８，Ｓ１１２，Ｓ１１５）により推定される前記踏み込み操作力が第２判定値以上であるときに、前記内燃機関（１１）から車軸（１３）に伝達される駆動トルクを制限するトルク制限手段（３２、Ｓ１１６，Ｓ１１７）と、
前記車両（１０）のスリップの発生を判定するとともに、同スリップが発生したと判定されたときに前記トルク制限手段（３２、Ｓ１１６，Ｓ１１７）による前記駆動トルクの制限を禁止する制限禁止手段（３２、Ｓ１０６，Ｓ１１８）と
を備える車両制御装置。
【請求項２】
請求項１に記載の車両制御装置において、
前記車両（１０）は、前記内燃機関（１１）の出力トルクが伝達される駆動輪（１４Ａ）と同出力トルクが伝達されない従動輪（１４Ｂ）とを備え、
前記車両制御装置は、前記駆動輪（１４Ａ）と前記従動輪（１４Ｂ）との回転速度差を算出する速度差算出手段（３２、Ｓ２０１）を備え、
前記制限禁止手段（３２、Ｓ１０６，Ｓ１１８）は、前記速度差算出手段（３２、Ｓ２０１）により算出された前記回転速度差が第３判定値以上であるときには、前記トルク制限手段（３２、Ｓ１１６，Ｓ１１７）による前記駆動トルクの制限を禁止しない
ことを特徴とする車両制御装置。
【請求項３】
請求項２に記載の車両制御装置において、
前記速度差算出手段（３２、Ｓ２０１）は、前記駆動輪（１４Ａ）の回転速度から前記従動輪（１４Ｂ）の回転速度を減算した値を前記回転速度差として算出する
ことを特徴とする車両制御装置。
【請求項４】
請求項１〜３のいずれか一項に記載の車両制御装置において、
前記制限禁止手段（３２、Ｓ１０６，Ｓ１１８）は、前記車両（１０）の各車輪（１４）の回転速度の差が第４判定値以上であることをもって前記スリップが発生したと判定する
ことを特徴とする車両制御装置。
【請求項５】
駆動源としての内燃機関（１１）と車両加速度を検出する加速度センサ（３４）とアクセルペダル（２２）の踏み込み操作量を検出するアクセルセンサ（３３）とを備えた車両（１０）の制御方法であって、
前記内燃機関（１１）の出力トルクを算出する出力算出工程（Ｓ１０４）と、
前記加速度センサ（３４）により検出した前記車両加速度および、前記出力算出工程（Ｓ１０４）において算出した前記出力トルクに基づいてブレーキペダル（１７）の踏み込み操作力を推定する踏力推定工程（Ｓ１０７，Ｓ１０８，Ｓ１１２，Ｓ１１５）と、
前記アクセルセンサ（３３）により検出される前記踏み込み操作量が第１判定値以上であり、且つ前記踏力推定工程（Ｓ１０７，Ｓ１０８，Ｓ１１２，Ｓ１１５）において推定される前記踏み込み操作力が第２判定値以上であるときに、前記内燃機関（１１）から車軸（１３）に伝達される駆動トルクを制限するトルク制限工程（Ｓ１１６，Ｓ１１７）と、
前記車両（１０）のスリップの発生を判定するとともに、同スリップが発生したと判定されたときに前記トルク制限工程（Ｓ１１６，Ｓ１１７）における前記駆動トルクの制限を禁止する制限禁止工程（Ｓ１０６，Ｓ１１８）と
を含む車両制御方法。
【発明の詳細な説明】
【技術分野】
【０００１】
本発明は、アクセルペダルおよびブレーキペダルが同時に踏み込み操作された状態になったときに車軸に伝達される駆動トルクを制限する車両制御装置および車両制御方法に関するものである。
【背景技術】
【０００２】
近年、アクセルペダルがフロアマットに引っ掛かった状況でブレーキペダルが踏み込まれたりするなどして、アクセルペダルとブレーキペダルとが同時に踏み込まれた状態になる事象の発生が報告されている。この場合、アクセルペダルの踏み込み操作量が大きいと、乗員によってブレーキペダルが踏み込み操作されているのにも関わらず、車両が加速したり発進したりするといった状況になってしまう。
【０００３】
従来、特許文献１には、アクセルペダルおよびブレーキペダルの同時操作時において、センサによって検出したブレーキペダルの踏み込み操作量（あるいは、その指標値［例えば、ブレーキ作動圧力］）が判定値より大きくなったときに、車載内燃機関の出力を制限することが提案されている。なお上記判定値としては、乗員によって意図的に両ペダルが踏み込まれる状況であれば通常とり得ないブレーキペダルの踏み込み操作量に相当する値が設定される。
【０００４】
こうした装置によれば、アクセルペダルとブレーキペダルとが誤って同時に踏み込まれた状態になった場合であっても、ブレーキペダルの踏み込み操作量が大きくなれば、アクセルペダルの踏み込み操作が乗員により意図された操作ではないとして、ブレーキペダルの踏み込み操作が優先されて、車載内燃機関の出力が制限される。その結果、アクセルペダルおよびブレーキペダルの同時踏み込みに起因する車両の加速や発進が抑えられるようになる。
【先行技術文献】
【特許文献】
【０００５】
【特許文献１】特開２００５−２９１０３０号公報
【発明の概要】
【発明が解決しようとする課題】
【０００６】
ここで、車両の製造コストの削減を実現するために、ブレーキペダルの踏み込み操作量を検出するためのセンサを省略することが検討されている。この場合、単に上記センサを省略すると、そのときどきのブレーキペダルの踏み込み操作量を把握することができなくなるために、上述したアクセルペダルおよびブレーキペダルの同時踏み込みに起因する車両の加速や発進を抑えることができなくなってしまう。
【０００７】
そうしたセンサによる検出値に代えて、車両の運転状態に基づいてブレーキペダルの踏み込み操作量を推定した値を用いることも考えられる。具体的には、機関トルクによって生じる駆動トルク相当の車両加速度とブレーキ操作によって生じるブレーキ相当の車両加速度との関係から実際の車両加速度が定まることをふまえて、同関係をもとにブレーキ相当の車両加速度を逆算するとともに同加速度に基づいてブレーキ踏み込み操作量を演算することが考えられる。
【０００８】
この場合には、次のような不都合が発生するおそれがある。車両が摩擦係数の低い路面（例えば凍結路）を走行するときやアクセルペダルの踏み込み操作量が大きいために車軸に伝達される駆動トルクが大きいときなどにおいて車輪がスリップすることがある。そうしたスリップが発生すると、ブレーキ踏み込み操作量の推定に際して算出した駆動トルクが車体にそのまま伝わらないことになるというように車両の運転状態が変化する。こうした車両のスリップの有無による運転状態の変化は、上述のように車両の運転状態に基づいてブレーキペダルの踏み込み操作量を推定する場合においてその推定精度を低下させる一因になってしまう。
【０００９】
本発明は、そうした実情に鑑みてなされたものであり、その目的は、ブレーキペダルの踏み込み操作量を検出するためのセンサを設けることなく、アクセルペダルおよびブレーキペダルの同時踏み込みに起因する車両の加速や発進を的確に抑えることのできる車両制御装置および車両制御方法を提供することにある。
【課題を解決するための手段】
【００１０】
以下、上記目的を達成するための手段及びその作用効果について説明する。
本発明の車両制御装置は、駆動源としての内燃機関（１１）と、車両加速度を検出する加速度センサ（３４）と、アクセルペダル（２２）の踏み込み操作量を検出するアクセルセンサ（３３）とを備えた車両（１０）に適用されて、前記内燃機関（１１）の出力トルクを算出する出力算出手段（３１、Ｓ１０４）と、前記加速度センサ（３４）により検出した前記車両加速度および、前記出力算出手段（３１、Ｓ１０４）により算出した前記出力トルクに基づいてブレーキペダル（１７）の踏み込み操作力を推定する踏力推定手段（３２、Ｓ１０７，Ｓ１０８，Ｓ１１２，Ｓ１１５）と、前記アクセルセンサ（３３）により検出される前記踏み込み操作量が第１判定値以上であり、且つ前記踏力推定手段（３２、Ｓ１０７，Ｓ１０８，Ｓ１１２，Ｓ１１５）により推定される前記踏み込み操作力が第２判定値以上であるときに、前記内燃機関（１１）から車軸（１３）に伝達される駆動トルクを制限するトルク制限手段（３２、Ｓ１１６，Ｓ１１７）と、前記車両（１０）のスリップの発生を判定するとともに、同スリップが発生したと判定されたときに前記トルク制限手段（３２、Ｓ１１６，Ｓ１１７）による前記駆動トルクの制限を禁止する制限禁止手段（３２、Ｓ１０６，Ｓ１１８）とを備えることをその要旨とする。
【００１１】
上記構成によれば、加速度センサによって車両の実加速度を検出することができるとともに、内燃機関の出力トルクに基づいて同内燃機関の運転によって得られる車両の加速度（機関加速度）を把握することができる。そのため、それら実加速度と機関加速度との関係に基づいてブレーキペダルの踏み込み操作による車両の加速度変化分を把握することができ、その加速度変化分をもとにブレーキペダルの踏み込み操作力（踏力）を精度よく推定することができる。そして、その推定した値（ブレーキ踏力推定値）に基づいてブレーキペダルの踏力が第２判定値以上になっていることを精度よく判断することができる。そのため、そうしたブレーキ踏力推定値に基づく判断とアクセルセンサにより検出したアクセルペダルの踏み込み操作量が第１判定値以上であるとの判断とをもとに、アクセルペダルおよびブレーキペダルの同時踏み込みを精度よく判定したうえで、内燃機関から車軸に伝達される駆動トルクの制限を的確に行うことができる。
【００１２】
しかも、車両のスリップが発生したとき、すなわち車両の実加速度と機関加速度とブレーキペダルの踏力との関係が変化したときには、上記ブレーキ踏力推定値の推定精度が低いとして、同ブレーキ踏力推定値が大きいことをもって駆動トルクが制限されることを回避することができる。
【００１３】
したがって、ブレーキペダルの踏み込み操作量を検出するためのセンサを設けることなく、アクセルペダルおよびブレーキペダルの同時踏み込みに起因する車両の加速や発進を的確に抑えることができる。
【００１４】
本発明の車両制御装置において、前記車両（１０）は、前記内燃機関（１１）の出力トルクが伝達される駆動輪（１４Ａ）と同出力トルクが伝達されない従動輪（１４Ｂ）とを備えることが好ましく、前記車両制御装置は、前記駆動輪（１４Ａ）と前記従動輪（１４Ｂ）との回転速度差を算出する速度差算出手段（３２、Ｓ２０１）を備えることが好ましく、前記制限禁止手段（３２、Ｓ１０６，Ｓ１１８）は、前記速度差算出手段（３２、Ｓ２０１）により算出された前記回転速度差が第３判定値以上であるときには、前記トルク制限手段（３２、Ｓ１１６，Ｓ１１７）による前記駆動トルクの制限を禁止しないことが好ましい。
【００１５】
駆動輪と従動輪とを有する車両では、内燃機関の出力トルクが駆動輪のみに伝達されるのに対して、ブレーキペダルの踏み込み操作による制動力は駆動輪および従動輪の双方に作用する。そのため、そうした車両におけるブレーキペダルおよびアクセルペダルの同時操作時においてスリップが生じると、駆動輪の回転速度と従動輪との回転速度との差が大きくなる。そして、この回転速度差は、アクセルペダルの踏み込み操作量が大きいときほど大きくなる。
【００１６】
上記構成によれば、車両がスリップしているために前記ブレーキ踏力推定値の推定精度が低いときであっても、同車両の駆動輪と従動輪との回転速度差が大きくなっているときには、アクセルペダルの踏み込み操作量が大きいために車両の加速や発進であるとして、内燃機関から車軸に伝達される駆動トルクの制限を実行することができる。したがって、両ペダルの同時踏み込みに起因する車両の加速や発進をより的確に抑えることができる。
【００１７】
本発明の車両制御装置において、前記速度差算出手段（３２、Ｓ２０１）は、前記駆動輪（１４Ａ）の回転速度から前記従動輪（１４Ｂ）の回転速度を減算した値を前記回転速度差として算出することが好ましい。
【００１８】
上記構成によれば、速度差算出手段によって算出される回転速度差に基づいて、ブレーキペダルとアクセルペダルとの同時操作によって従動輪の回転速度より駆動輪の回転速度が高く且つその回転速度差が大きいこと、すなわち両ペダルの同時操作に起因する車両の加速や発進を招く可能性があることを的確に判断することができる。
【００１９】
なお本発明の車両制御装置においては、車両にスリップが発生したことを、前記車両の各車輪の回転速度の差が第４判定値以上であることをもって判断することができる。
本発明の車両制御方法は、駆動源としての内燃機関（１１）と車両加速度を検出する加速度センサ（３４）とアクセルペダル（２２）の踏み込み操作量を検出するアクセルセンサ（３３）とを備えた車両（１０）の制御方法であって、前記内燃機関（１１）の出力トルクを算出する出力算出工程（Ｓ１０４）と、前記加速度センサ（３４）により検出した前記車両加速度および、前記出力算出工程（Ｓ１０４）において算出した前記出力トルクに基づいてブレーキペダル（１７）の踏み込み操作力を推定する踏力推定工程（Ｓ１０７，Ｓ１０８，Ｓ１１２，Ｓ１１５）と、前記アクセルセンサ（３３）により検出される前記踏み込み操作量が第１判定値以上であり、且つ前記踏力推定工程（Ｓ１０７，Ｓ１０８，Ｓ１１２，Ｓ１１５）において推定される前記踏み込み操作力が第２判定値以上であるときに、前記内燃機関（１１）から車軸（１３）に伝達される駆動トルクを制限するトルク制限工程（Ｓ１１６，Ｓ１１７）と、前記車両（１０）のスリップの発生を判定するとともに、同スリップが発生したと判定されたときに前記トルク制限工程（Ｓ１１６，Ｓ１１７）における前記駆動トルクの制限を禁止する制限禁止工程（Ｓ１０６，Ｓ１１８）とを含むことを要旨とする。
【００２０】
上記制御方法によれば、上記車両制御装置と同等の作用・効果を得ることができる。
【図面の簡単な説明】
【００２１】
【図１】本発明の第１の実施の形態が適用される車両の概略構成を示す略図。
【図２】ブレーキブースターの断面構造を示す断面図。
【図３】ピッチング現象により発生する車両加速度の検出誤差分の説明図。
【図４】第１の実施の形態のトルク制限処理の実行手順を示すフローチャート。
【図５】同トルク制限処理の実行手順を示すフローチャート。
【図６】第２の実施の形態のトルク制限処理の実行手順を示すフローチャート。
【図７】第３の実施の形態のトルク制限処理の実行手順を示すフローチャート。
【発明を実施するための形態】
【００２２】
（第１の実施の形態）
以下、本発明の車両制御装置を具体化した第１の実施の形態について説明する。
図１に示すように、車両１０には、駆動源としての内燃機関１１が搭載されている。そして、内燃機関１１の出力トルクは、複数の変速段を備えた多段式の自動変速機１２および車軸１３を介して車輪１４に伝達されるようになっている。なお車両１０は、その前部の車輪１４が内燃機関１１の出力トルクの伝達される駆動輪１４Ａとして機能するとともに、後部の車輪１４が同出力トルクの伝達されない従動輪１４Ｂとして機能する、いわゆる前輪駆動車である。
【００２３】
この車両１０には、内燃機関１１の吸気通路１５におけるスロットルバルブ１６の下流に発生する吸気負圧を利用してブレーキペダル１７の踏み込み操作力（踏力）を倍力して伝えるブレーキブースター１８が設けられている。また車両１０には、ブレーキブースター１８により倍力されたブレーキペダル１７の踏力に応じてブレーキ液圧（マスターシリンダー圧）を発生させるマスターシリンダー１９が取り付けられている。さらに車両１０には、マスターシリンダー１９の発生するブレーキ液圧に応じて動作して各車輪１４にそれぞれ設けられたディスクブレーキ装置２０に制動力を付与するブレーキアクチュエーター２１が取り付けられている。
【００２４】
また車両１０には、内燃機関１１の運転を制御する電子制御ユニット（機関ＥＣＵ３１）とブレーキアクチュエーター２１の作動を制御する電子制御ユニット（ブレーキＥＣＵ３２）とが設けられている。
【００２５】
これら機関ＥＣＵ３１およびブレーキＥＣＵ３２には、車両１０の運転状況を検出するセンサやスイッチの検出信号が入力されている。例えば機関ＥＣＵ３１には、アクセルペダル２２の踏み込み操作量（アクセル踏込量Ｏｔｈｒ）を検出するアクセルセンサ３３の検出信号が入力されている。また、ブレーキＥＣＵ３２には、車両１０の前後方向に作用する加速度（実加速度Ｇ）を検出する加速度センサ３４の検出信号や、ブレーキペダル１７の踏み込みの有無を検出するブレーキスイッチ３５の信号が入力されている。さらにブレーキＥＣＵ３２には、各車輪１４の回転速度（車輪速ＶＳＯ）を検出する速度センサ３６の検出信号や、ブレーキブースター１８の内部に形成される負圧（ブースター負圧Ｐｖ）を検出する圧力センサ３７の検出信号なども入力されている。
【００２６】
なお、上記加速度センサ３４としては一軸の検出軸（詳しくは、加速度を精度よく検出することのできる方向）を有するものが採用されており、同加速度センサ３４はその検出軸と車両１０の進行方向（詳しくは、前後方向）とが一致するように車両１０に取り付けられている。また速度センサ３６は各車輪１４に一つずつ設けられている。
【００２７】
機関ＥＣＵ３１とブレーキＥＣＵ３２との間では、データ通信を通じて、各種の情報が交信されている。そうしたデータとしては、センサやスイッチにより検出される情報の他、自動変速機１２において選択されている変速段（ギア位置Ｐｇｅａｒ）や、内燃機関１１の運転状態をもとに把握される同内燃機関１１の出力トルク（機関トルクＴｅｎｇ）等が挙げられる。機関トルクＴｅｎｇは例えばスロットルバルブ１６の開度から演算により求められる。
【００２８】
そして、機関ＥＣＵ３１は、各種センサやスイッチの検出結果により把握される車両１０の運転状況に応じて内燃機関１１の運転制御を実行する。またブレーキＥＣＵ３２は、ブレーキアクチュエーター２１の制御ソレノイドを操作することにより、ＡＢＳ（アンチロック・ブレーキ・システム）やブレーキアシスト、ＥＳＣ（エレクトロニック・スタビリティ・コントロール）といったブレーキシステムの作動制御を実行する。
【００２９】
以下、上記ブレーキブースター１８の構造について詳細に説明する。
図２に示すように、ブレーキブースター１８の内部には定圧室２３および変圧室２４の二つの圧力室が区画形成されている。このうちの定圧室２３は、図示しないチェック弁を介して内燃機関１１の吸気通路１５（図１参照）に連通されており、吸気負圧によってその内部に負圧（具体的には、大気圧よりも低い圧力）が導入されるようになっている。なお、ブレーキブースター１８のブースター負圧とは、定圧室２３内の負圧（大気圧と定圧室２３の圧力との差圧）のことである。
【００３０】
また、ブレーキブースター１８には、真空弁２５および大気弁２６の二つの弁が設けられている。真空弁２５が開弁されると定圧室２３と変圧室２４とが連通される一方、同真空弁２５が閉弁されると定圧室２３と変圧室２４との連通が遮断される。また大気弁２６が開弁されると変圧室２４が大気開放される。
【００３１】
さらに、ブレーキブースター１８の内部にはピストン２７が配設されている。このピストン２７によって定圧室２３と変圧室２４との間が仕切られている。ピストン２７は、ブレーキペダル１７に連結されるとともに、同ブレーキペダル１７の踏み込み操作に伴い移動可能な状態で配設されている。
【００３２】
そして、ブレーキペダル１７が踏み込み操作されていないとき（ブレーキ非作動時）には、真空弁２５が開弁されるとともに大気弁２６が閉弁されるようになっている。このとき定圧室２３および変圧室２４が連通されて、これらの内部に内燃機関１１の吸気負圧が導入されるために、定圧室２３の圧力と変圧室２４の圧力とはほぼ等しくなる。
【００３３】
一方、ブレーキペダル１７が踏み込み操作されたとき（ブレーキ作動時）には、真空弁２５が閉弁されるとともに大気弁２６が開弁されるようになっている。このとき定圧室２３および変圧室２４の連通が遮断されるとともに同変圧室２４の内圧が徐々に大気圧に近づくために、定圧室２３の圧力が変圧室２４の圧力より高くなる。そして、この定圧室２３および変圧室２４の圧力差によってピストン２７が押圧されることによってブレーキペダル１７の踏み込み操作が助勢される。
【００３４】
車両１０は、ブレーキペダル１７とアクセルペダル２２とが誤って同時に踏み込み操作された状態になった場合に、これに起因する同車両１０の加速や発進を抑えるべく、内燃機関１１の出力を制限するシステム（ＢＯＳ［ブレーキ・オーバーライド・システム］）を備えている。このシステムでは、アクセル踏込量Ｏｔｈｒが第１判定値α以上であり、且つブレーキペダル１７の踏力（詳しくは、マスターシリンダー圧の推定値［後述するマスター圧推定値ＰｅｓＰｍ］）が第２判定値β以上であるときに、内燃機関１１の出力トルクが制限される。これにより、ブレーキペダル１７およびアクセルペダル２２の同時踏み込みに起因する車両１０の加速や発進が抑えられる。
【００３５】
ここで上記車両１０では、その製造コストの削減を実現するために、ブレーキペダル１７の踏力を検出するセンサが省略されている。単に上記センサを省略すると、そのときどきのブレーキペダル１７の踏力を把握することができなくなるため、ＢＯＳによってブレーキペダル１７およびアクセルペダル２２の同時踏み込みに起因する車両１０の加速や発進を抑えることができなくなってしまう。
【００３６】
そこで本実施の形態では、機関ＥＣＵ３１により算出される内燃機関１１の出力トルク（前記機関トルクＴｅｎｇ）と加速度センサ３４により検出される実加速度Ｇとに基づいてブレーキペダル１７の踏力を推定するようにしている。そして、その推定した値（具体的には、後述するマスター圧推定値ＰｅｓＰｍ）に基づいてブレーキＥＣＵ３２による内燃機関１１の出力制限が行われるようになっている。
【００３７】
ブレーキペダル１７の踏み込み操作によって車両１０が減速することから明らかなように、同ブレーキペダル１７の踏力と車両１０の加速度とには相関がある。この点をふまえて本実施の形態では、加速度センサ３４により検出される実加速度Ｇに基づいてマスター圧推定値ＰｅｓＰｍが算出されるとともに、同マスター圧推定値ＰｅｓＰｍが上記ＢＯＳにおいて用いられる。
【００３８】
マスター圧推定値ＰｅｓＰｍの算出は、具体的には、次のような考えのもとに行われる。先ず、加速度センサ３４によって車両１０の実加速度Ｇが検出されるとともに、機関トルクＴｅｎｇに基づいて内燃機関１１の運転によって得られる車両１０の加速度（機関加速度）が把握される。そして、それら実加速度Ｇおよび機関加速度の関係に基づいてブレーキペダル１７の踏み込み操作による車両１０の加速度変化分が把握される。さらに、この加速度変化分を車両１０の特性により定まる変換係数によってブレーキペダル１７の踏力に変換することにより、上記マスター圧推定値ＰｅｓＰｍが算出される。
【００３９】
本実施の形態では、このマスター圧推定値ＰｅｓＰｍに基づいてブレーキペダル１７の踏力が第２判定値β以上になっていることを精度よく判断することができる。そのため、そうしたマスター圧推定値ＰｅｓＰｍに基づく判断とアクセルセンサ３３により検出したアクセル踏込量Ｏｔｈｒが第１判定値α以上であるとの判断とをもとに、ブレーキペダル１７およびアクセルペダル２２の同時踏み込みを精度よく判定したうえで、内燃機関１１の出力制限を的確に行うことができる。したがって、ブレーキペダル１７の踏み込み操作量を検出するためのセンサを設けることなく、ブレーキペダル１７およびアクセルペダル２２の同時踏み込みに起因する車両１０の加速や発進を抑えることができる。
【００４０】
ブレーキブースター１８は、ブレーキペダル１７が踏み込み操作されると、ブースター負圧が大気圧に近づく構造になっている。そのため、ブレーキペダル１７の踏み込み操作が短時間において繰り返し行われると、ブースター負圧が殆ど無くなった状態（ほぼ大気圧になった状態）になって、ブレーキブースター１８による助勢が殆ど無い状態でブレーキペダル１７が踏み込まれる状況になってしまう。この場合には、ブレーキペダル１７の踏み込み操作による車両１０の減速度合いが小さくなってしまうために、ブレーキペダル１７の実際の踏力と内燃機関１１の出力トルク（機関トルクＴｅｎｇ）と車両１０の実加速度Ｇとの関係が変化してしまい、上述したマスター圧推定値ＰｅｓＰｍの推定精度の低下を招いてしまう。
【００４１】
この点をふまえて本実施の形態では、マスター圧推定値ＰｅｓＰｍの推定パラメータの一つとして、圧力センサ３７によって検出されるブースター負圧Ｐｖを用いるようにしている。これにより、マスター圧推定値ＰｅｓＰｍを、ブースター負圧Ｐｖの変化による影響を考慮しつつ精度よく算出することができる。
【００４２】
また、ブレーキペダル１７が同一の力で踏み込まれた場合であっても、車両１０の重量に応じて同車両１０の実際の減速度合いは異なる。そのため、車両１０の重量に応じて、ブレーキペダル１７の実際の踏力と内燃機関１１の出力トルク（機関トルクＴｅｎｇ）と車両１０の実加速度Ｇとの関係が変化すると云える。そして、車両重量は、同車両１０に載せられた荷物の重量や、内燃機関１１の燃料の残量、搭乗者数などに応じて変化する。そのため、そうした車両１０の重量の変化に起因して、マスター圧推定値ＰｅｓＰｍの推定精度の低下を招くおそれがある。
【００４３】
そのため本実施の形態では、車両１０の重量を推定するとともに、その推定した値（後述する積載量推定値ＰｅｓＷ）をマスター圧推定値ＰｅｓＰｍの推定パラメータの一つとして用いるようにしている。これにより、上記マスター圧推定値ＰｅｓＰｍを、車両１０の重量の変化による影響を考慮しつつ精度よく推定することができる。
【００４４】
さらに、本実施の形態のように、加速度センサ３４により検出される実加速度Ｇに基づいてマスター圧推定値ＰｅｓＰｍを算出するとともに同マスター圧推定値ＰｅｓＰｍを前記ＢＯＳにおいて用いる場合、次のような不都合が発生するおそれがある。
【００４５】
本実施の形態では、加速度センサ３４の検出軸と車両１０の前後方向とが一致するように同加速度センサ３４が車両１０に取り付けられている。車両１０の走行時においては、その走行速度の変化に伴って車両前部が車両後部に対して沈み込んだり、あるいは車両後部が車両前部に対して沈み込んだりする現象（いわゆるピッチング現象）が生じることがある。そうしたピッチング現象が発生すると、走行路面に対する車両１０の姿勢が変化するために、同車両１０に取り付けられた加速度センサ３４の姿勢も変化する。
【００４６】
そのため、図３に示すように、このとき加速度センサ３４の検出軸と車両１０の進行方向（詳しくは、平坦路の走行時において路面と並行になる方向）とがずれた状態になって、同車両１０の進行方向における実際の加速度（図中に矢印Ａで示す値）と加速度センサ３４によって検出される実加速度Ｇ（図中に矢印Ｂで示す値）と間にずれが生じてしまう。なお図３は、車両後部が車両前部に対して沈み込んだ状態での車両進行方向における実際の加速度と実加速度Ｇとの関係の一例を示している。同図から明らかなように、ピッチング現象が発生すると、車両進行方向における実際の加速度より加速度センサ３４によって検出される実加速度Ｇが小さくなる。こうしたピッチング現象の発生に起因する加速度センサ３４の検出値（実加速度Ｇ）の変化は、上述のように実加速度Ｇに基づいてマスター圧推定値ＰｅｓＰｍを算出する場合においてその算出精度を低下させる一因になってしまう。なお図３は、実加速度Ｇの変化の理解を容易にするために、加速度センサ３４の検出軸と車両１０の進行方向とのずれを誇張して示している。
【００４７】
この点をふまえて本実施の形態では、ピッチング現象による車両１０の姿勢変化分に応じた補正値（ピッチング補正値Ｇｐ）を算出するとともに、同ピッチング補正値Ｇｐを上記マスター圧推定値ＰｅｓＰｍの推定パラメータの一つとして用いるようにしている。
【００４８】
本実施の形態では、ピッチング補正値Ｇｐが車両１０の走行時と停止時とにおいて異なる態様で算出される。以下、そうしたピッチング補正値Ｇｐの算出態様について説明する。
【００４９】
ここでは先ず、車両１０の走行時におけるピッチング補正値Ｇｐの算出態様について説明する。
車両１０の走行中におけるピッチング現象は同車両１０の走行速度の変化に伴って発生する。そして、車両１０の走行速度の変化度合いが大きいときほど、ピッチング現象の発生時における車両１０の姿勢変化分も大きくなる。このことから車両１０の走行中においては、同車両１０の進行方向における走行速度の推移をもとに、ピッチング現象の発生に起因する車両１０の姿勢変化分を把握することが可能になると云える。
【００５０】
そのため本実施の形態では、車両１０の走行時において、そうした車両１０の進行方向における走行速度の推移（具体的には、各速度センサ３６により検出される車輪速ＶＳＯに基づき推定される車両１０の加速度［後述する推定車体加速度ΔＶｒｅｆ］）に基づいて上記ピッチング補正値Ｇｐが算出される。
【００５１】
これにより、車両１０の走行中において、速度センサ３６によって検出される車両１０の走行速度の推移、すなわちピッチング現象による車両１０の姿勢変化分と相関のある値に基づいてピッチング補正値Ｇｐを算出することができる。そして、このピッチング補正値Ｇｐによって上記姿勢変化に起因する推定精度の低下を抑えつつ、マスター圧推定値ＰｅｓＰｍを精度よく算出することができる。
【００５２】
次に、車両１０の停止時におけるピッチング補正値Ｇｐの算出態様について説明する。
車両１０の停止時におけるピッチング現象は、内燃機関１１から車軸１３に伝達される駆動トルクによって発生する。そして、この駆動トルクが大きいときほど、ピッチング現象の発生時における車両１０の姿勢変化分も大きくなる。このことから車両１０の停止時においては、車軸１３に伝達される駆動トルクをもとに、ピッチング現象の発生に起因する車両１０の姿勢変化分を把握することが可能になると云える。
【００５３】
この点をふまえて本実施の形態では、車両１０の停止時において、車軸１３に伝達される駆動トルクに基づいてピッチング補正値Ｇｐを算出するようにしている。なお、上記駆動トルクは、内燃機関１１の出力トルク（機関トルクＴｅｎｇ）、ギア位置Ｐｇｅａｒに基づき算出される自動変速機１２のギア比Ｒｔｇｅａｒ、自動変速機１２に一体に設けられたファイナルギアのギア比Ｒｆｉｎａｌに基づき算出することができる。
【００５４】
これにより、車両１０の停止時において、車軸１３に伝達される駆動トルク、すなわちピッチング現象による車両１０の姿勢変化分と相関のある値に基づいてピッチング補正値Ｇｐを算出することができる。そして、このピッチング補正値Ｇｐによって上記姿勢変化に起因する推定精度の低下を抑えつつ、マスター圧推定値ＰｅｓＰｍを精度よく算出することができる。
【００５５】
このように本実施の形態では、ピッチング現象の発生による車両１０の姿勢変化によって車両１０の進行方向における実際の加速度と加速度センサ３４によって検出される実加速度Ｇとの間にずれが生じる場合であっても、同車両１０の姿勢変化分に応じた値（ピッチング補正値Ｇｐ）による補正を通じてマスター圧推定値ＰｅｓＰｍを精度よく推定することができる。
【００５６】
また、上述したピッチング現象の発生に起因する不都合の他にも、次のような不都合が発生するおそれがある。車両１０が摩擦係数の低い路面（例えば凍結路）を走行するときやアクセルペダル２２の踏み込み操作量が大きいために車軸１３に伝達される駆動トルクが大きいときなどにおいて車輪１４がスリップすることがあり、そうしたスリップが発生すると、これに伴って車両１０の運転状態（詳しくは、機関トルクＴｅｎｇ、実加速度Ｇ、ブレーキペダル１７の踏力の関係）が変化する。こうした車両１０のスリップの有無による運転状態の変化は、本実施の形態の装置のように車両１０の運転状態に基づいてマスター圧推定値ＰｅｓＰｍを算出する装置では、同マスター圧推定値ＰｅｓＰｍの推定精度を低下させる一因になってしまう。
【００５７】
そのため本実施の形態では、車両１０のスリップの発生を判定するとともに同スリップが発生したと判定されたときに、前記ＢＯＳによる内燃機関１１の出力制限の実行を禁止するようにしている。これにより、車両１０のスリップが発生したとき、すなわち機関トルクＴｅｎｇと実加速度Ｇとブレーキペダル１７の踏力との関係が変化したときには、上記マスター圧推定値ＰｅｓＰｍの推定精度が低いとして、同マスター圧推定値ＰｅｓＰｍが大きいことをもって内燃機関１１の出力制限が行われることを回避することができる。
【００５８】
以下、前記ＢＯＳによって内燃機関１１の出力トルクを制限する処理（トルク制限処理）について詳細に説明する。
図４および図５は、上記トルク制限処理の具体的な実行手順を示すフローチャートであり、それらフローチャートに示される一連の処理は、ブレーキスイッチ３５がオン操作されていることを条件に実行される所定時間（例えば数ミリ秒）毎の処理として、ブレーキＥＣＵ３２により実行される。
【００５９】
図４に示すように、この処理では先ず、速度センサ３６によって各車輪１４の車輪速ＶＳＯがそれぞれ検出される（ステップＳ１０１）。
そして、各車輪速ＶＳＯに基づいて車両１０の走行速度についての推定値（推定車体速度Ｖｒｅｆ）が算出される（ステップＳ１０２）。具体的には、各車輪速ＶＳＯのうちの最も高い速度を示す値が推定車体速度Ｖｒｅｆとして算出される。
【００６０】
また、この推定車体速度Ｖｒｅｆに基づいて車両１０の加速度についての推定値（推定車体加速度ΔＶｒｅｆ）が算出される（ステップＳ１０３）。具体的には、本処理の前回実行時における推定車体速度Ｖｒｅｆ［ｉ−１］と今回実行時における推定車体速度Ｖｒｅｆ［ｉ］との差（＝Ｖｒｅｆ［ｉ］−Ｖｒｅｆ［ｉ−１］）が推定車体加速度ΔＶｒｅｆとして算出される。
【００６１】
さらに、機関ＥＣＵ３１によって検出（あるいは算出）されて記憶されているアクセル踏込量Ｏｔｈｒ、機関トルクＴｅｎｇ、およびギア位置Ｐｇｅａｒが読み込まれる（ステップＳ１０４）。本実施の形態では、このステップＳ１０４の処理が出力算出工程として機能する。
【００６２】
その後、アクセルペダル２２が踏み込み操作されているか否かが判断される（ステップＳ１０５）。この処理では具体的には、アクセル踏込量Ｏｔｈｒが所定量以上であることをもって、アクセルペダル２２が踏み込み操作されていると判断される。
【００６３】
そして、アクセルペダル２２が踏み込み操作されていないと判断される場合には（ステップＳ１０５：ＮＯ）、前述したブレーキペダル１７とアクセルペダル２２との同時踏み込みによる車両１０の加速や発進が生じるおそれはないとして、出力制限フラグがオフ操作された後（ステップＳ１１８）、本処理は一旦終了される。
【００６４】
一方、アクセルペダル２２が踏み込み操作されていると判断される場合には（ステップＳ１０５：ＹＥＳ）、車両１０がスリップ状態であるか否かが判断される（ステップＳ１０６）。この処理では、車輪速ＶＳＯと推定車体速度Ｖｒｅｆとの差ΔＶＳＯが車輪１４毎に算出されるとともに、それら差ΔＶＳＯのいずれかが判定値Ｊ１以上であることをもって、車両１０がスリップ状態であると判断される。なお上記判定値Ｊ１としては、マスター圧推定値ＰｅｓＰｍを精度よく算出することのできない程度に各車輪１４のいずれかかがスリップしていることを的確に判断することの可能な値が実験やシミュレーションの結果をもとに予め求められてブレーキＥＣＵ３２に記憶されている。本実施の形態では、この判定値Ｊ１が第４判定値として機能する。そして、車両１０がスリップ状態であると判断される場合には（ステップＳ１０６：ＹＥＳ）、このときマスター圧推定値ＰｅｓＰｍを精度よく算出することができないために内燃機関１１の出力トルクの制限を的確に行うことができないとして、出力制限フラグがオフ操作された後（ステップＳ１１８）、本処理は一旦終了される。
【００６５】
なお、上記出力制限フラグは次のように作用するフラグである。すなわち、出力制限フラグがオン操作されると、内燃機関１１の出力トルクを制限させる必要がある旨の信号が機関ＥＣＵ３１に出力される。この信号を受けて機関ＥＣＵ３１は、アクセル踏込量Ｏｔｈｒによることなく、内燃機関１１の運転制御をアイドル運転時における制御態様に変更する。これにより、内燃機関１１の出力トルクが小さく抑えられて、ブレーキペダル１７の踏み込み操作による制動力に抗して車両１０が加速したり発進したりすることが抑えられる。一方、出力制限フラグがオフ操作されているときには、そうした機関ＥＣＵ３１への信号出力が行われず、内燃機関１１の出力トルクの制限も行われない。したがって本処理では、アクセルペダル２２が踏み込み操作されていないときや車両１０がスリップ状態であるときには、内燃機関１１の出力トルクの制限が行われない。本実施の形態では、ステップＳ１０６，Ｓ１１８の処理が制限禁止工程として機能する。
【００６６】
一方、アクセルペダル２２が踏み込み操作されていると判断され（ステップＳ１０５：ＹＥＳ）、且つ車両１０がスリップ状態でないと判断される場合には（ステップＳ１０６：ＮＯ）、両ペダル１７，２２の同時操作による車両１０の加速や発進が生じるおそれがあり、且つマスター圧推定値ＰｅｓＰｍを精度良く算出可能であるとして、以下の処理が実行される。
【００６７】
すなわち先ず、機関トルクＴｅｎｇと、ギア位置Ｐｇｅａｒに基づき算出される自動変速機１２のギア比Ｒｔｇｅａｒと、自動変速機１２に一体に設けられたファイナルギアのギア比Ｒｆｉｎａｌとに基づいて以下の関係式から、内燃機関１１から車軸１３に伝達される駆動トルク（軸駆動トルクＴａｘｌｅ）が算出される（ステップＳ１０７）。
【００６８】
Ｔａｘｌｅ＝Ｔｅｎｇ×Ｒｔｇｅａｒ×Ｒｆｉｎａｌ
そして、この軸駆動トルクＴａｘｌｅが、変換係数Ｃｔｇを通じて、車両１０の加速度に相当する値（駆動トルク相当加速度Ｇｄｒｖ）に変換される（ステップＳ１０８）。詳しくは、軸駆動トルクＴａｘｌｅに変換係数Ｃｔｇを乗算することによって駆動トルク相当加速度Ｇｄｒｖ（＝Ｔａｘｌｅ×Ｃｔｇ）が算出される。この変換係数Ｃｔｇは、車軸１３に伝達される駆動トルクを車両１０の加速度に変換するための値であり、車両１０の諸元などから定まる一定の値である。この変換係数Ｃｔｇは、予め求められた上でブレーキＥＣＵ３２に記憶されている。
【００６９】
その後、図５に示すように、車両１０が停止しているか否かが判断される（ステップＳ１０９）。ここでは、推定車体速度Ｖｒｅｆが「０」（または、ほぼ「０」）になっていることをもって、車両１０が停止していると判断される。
【００７０】
そして、車両１０が停止していると判断されるときには（ステップＳ１０９：ＹＥＳ）、上記軸駆動トルクＴａｘｌｅに基づいて演算マップからピッチング補正値Ｇｐが算出される（ステップＳ１１０）。本実施の形態では、ピッチング現象の発生に起因する実加速度Ｇの検出誤差分を的確に補正可能な値（ピッチング補正値Ｇｐ）と車両停止時における軸駆動トルクＴａｘｌｅとの関係が実験やシミュレーションの結果をもとに予め求められてブレーキＥＣＵ３２（詳しくは、上記演算マップ）に記憶されている。そして、軸駆動トルクＴａｘｌｅが大きいときほど、ピッチング補正値Ｇｐとして大きい値が算出される。
【００７１】
一方、車両１０が停止しておらず走行中であると判断されるときには（ステップＳ１０９：ＮＯ）、推定車体加速度ΔＶｒｅｆに基づいて演算マップからピッチング補正値Ｇｐが算出される（ステップＳ１１１）。本実施の形態では、ピッチング現象の発生に起因する実加速度Ｇの検出誤差分を的確に補正可能な値（ピッチング補正値Ｇｐ）と車両走行時における推定車体加速度ΔＶｒｅｆとの関係が実験やシミュレーションの結果をもとに予め求められてブレーキＥＣＵ３２（上記演算マップ）に記憶されている。そして、推定車体加速度ΔＶｒｅｆの絶対値が大きいときほど、ピッチング補正値Ｇｐとして大きい値が算出される。
【００７２】
このようにして車両１０の走行状態に応じてピッチング補正値Ｇｐが算出された後、実加速度Ｇ、駆動トルク相当加速度Ｇｄｒｖ、転がり抵抗Ｇｋ、ピッチング補正値Ｇｐに基づいて以下の関係式から、ブレーキペダル１７の踏み込み操作によって生じる加速度に相当する値（ブレーキ相当加速度Ｇｂｒｋ）が算出される（ステップＳ１１２）。
【００７３】
Ｇｂｒｋ＝Ｇ−Ｇｄｒｖ−Ｇｋ＋Ｇｐ
なお、転がり抵抗Ｇｋとしては車種毎に設定されている標準タイヤの諸元（具体的には、サイズや材質）により定まる一定の値が予めブレーキＥＣＵ３２に記憶されている。
【００７４】
その後、圧力センサ３７によって検出されるブースター負圧Ｐｖに基づいて演算マップから、負圧補正係数Ｃｖｃが算出される（ステップＳ１１３）。本実施の形態では、ブースター負圧Ｐｖとマスター圧推定値ＰｅｓＰｍを精度よく算出可能な補正値（負圧補正係数Ｃｖｃ）との関係が実験やシミュレーションの結果をもとに予め求められてブレーキＥＣＵ３２（詳しくは、上記演算マップ）に記憶されている。そして、ブースター負圧Ｐｖが小さいときほど、負圧補正係数Ｃｖｃとして大きい値が算出される。
【００７５】
また、車両重量の推定値（積載量推定値ＰｅｓＷ）に基づいて演算マップから、積載補正係数Ｃｗｅが算出される（ステップＳ１１４）。本実施の形態では、積載量推定値ＰｅｓＷとマスター圧推定値ＰｅｓＰｍを精度よく算出可能な補正値（積載補正係数Ｃｗｅ）との関係が実験やシミュレーションの結果をもとに予め求められてブレーキＥＣＵ３２（詳しくは、上記演算マップ）に記憶されている。そして、積載量推定値ＰｅｓＷが大きいときほど、積載補正係数Ｃｗｅとして大きい値が算出される。
【００７６】
なお、上記積載量推定値ＰｅｓＷは本処理とは別の処理（積載量推定処理）を通じて算出されてブレーキＥＣＵ３２に記憶されており、本処理の実行に際してはその記憶値が読み込まれる。積載量推定処理において上記積載量推定値ＰｅｓＷを算出および記憶する処理は、以下の実行条件が全て満たされるときに実行される。
・車両１０の運転を開始するべく運転スイッチ（図示略）がオン操作されてから同車両１０の運転を停止するべく運転スイッチがオフ操作されるまでの期間（いわゆるトリップ中）において、積載量推定値ＰｅｓＷが算出された履歴がないこと。
・ブレーキペダル１７が踏み込み操作されていないこと（具体的には、ブレーキスイッチ３５がオフ操作されていること）。
・車両１０が走行中であること（具体的には、推定車体速度Ｖｒｅｆが所定速度以上であること）。
【００７７】
そして、積載量推定値ＰｅｓＷの算出は次のように実行される。すなわち加速度センサ３４によって検出される実加速度Ｇを［ａ］とし、機関トルクＴｅｎｇを車両１０に付与される力［Ｆ］とした場合に、運動方程式［Ｆ＝ｍａ］を満たす車両１０の重量［ｍ］に相当する値が前記積載量推定値ＰｅｓＷとして算出される。このように本実施の形態では、積載量推定値ＰｅｓＷが運動方程式［Ｆ＝ｍａ］をもとに精度よく算出される。
【００７８】
負圧補正係数Ｃｖｃ（ステップＳ１１３）および積載補正係数Ｃｗｅ（ステップＳ１１４）が算出された後、ブレーキ相当加速度Ｇｂｒｋ、変換係数Ｃｇｐ、負圧補正係数Ｃｖｃ、積載補正係数Ｃｗｅに基づいて以下の関係式から、マスター圧推定値ＰｅｓＰｍが算出される（ステップＳ１１５）。
【００７９】
ＰｅｓＰｍ＝Ｇｂｒｋ×Ｃｇｐ×Ｃｖｃ×Ｃｗｅ
なお、上記変換係数Ｃｇｐは、車両１０の加速度をブレーキペダル１７の踏力に変換するための値であり、同車両１０の諸元などから定まる一定の値である。この変換係数Ｃｇｐは、予め求められた上でブレーキＥＣＵ３２に記憶されている。本実施の形態では、ステップＳ１０７，Ｓ１０８，Ｓ１１２，Ｓ１１５の処理が踏力推定工程として機能する。
【００８０】
その後、以下の［条件イ］および［条件ロ］が共に満たされるか否かが判断される（ステップＳ１１６）。
その後、以下の［条件イ］および［条件ロ］が共に満たされるか否かが判断される（ステップＳ１１６）。
［条件イ］アクセル踏込量Ｏｔｈｒが第１判定値α以上であること。
［条件ロ］マスター圧推定値ＰｅｓＰｍが第２判定値β以上であること。
【００８１】
なお、第１判定値αおよび第２判定値βとしては、ブレーキペダル１７およびアクセルペダル２２の同時踏み込みに起因して車両１０が加速したり発進したりする可能性があることを適正に判断することの可能な値が、実験やシミュレーションの結果をもとに予め求められて設定されている。
【００８２】
そして、［条件イ］および［条件ロ］が共に満たされる場合には（ステップＳ１１６：ＹＥＳ）、両ペダル１７，２２の同時踏み込みに起因する車両１０の加速や発進を招く可能性があるとして、出力制限フラグがオン操作される（ステップＳ１１７）。これにより、内燃機関１１の出力トルクが制限されて、両ペダル１７，２２の同時踏み込みに起因する車両１０の加速や発進が抑えられる。本実施の形態では、ステップＳ１１６，Ｓ１１７の処理がトルク制限工程として機能する。
【００８３】
一方、［条件イ］および［条件ロ］の一方でも満たされない場合には（ステップＳ１１６：ＮＯ）、出力制限フラグがオフ操作される（ステップＳ１１８）。この場合には、内燃機関１１の出力トルクが制限されない。
【００８４】
このようにして、マスター圧推定値ＰｅｓＰｍをもとに、出力制限フラグが操作された後、本処理は一旦終了される。
以上説明したように、本実施の形態によれば、以下に記載する効果が得られるようになる。
【００８５】
（１）機関ＥＣＵ３１により算出される機関トルクＴｅｎｇと加速度センサ３４により検出される実加速度Ｇとに基づいてマスター圧推定値ＰｅｓＰｍを算出するとともに、同マスター圧推定値ＰｅｓＰｍに基づいてブレーキＥＣＵ３２による内燃機関１１の出力制限を行うようにした。そのため、マスター圧推定値ＰｅｓＰｍが第２判定値β以上であるとの判断とアクセルセンサ３３により検出したアクセル踏込量Ｏｔｈｒが第１判定値α以上であるとの判断とをもとに、ブレーキペダル１７およびアクセルペダル２２の同時踏み込みを精度よく判定したうえで、内燃機関１１の出力制限を的確に行うことができる。しかも、車両１０のスリップが発生したときには、上記マスター圧推定値ＰｅｓＰｍの推定精度が低いとして、同マスター圧推定値ＰｅｓＰｍが大きいことをもって内燃機関１１の出力制限が行われることを回避することができる。したがって、ブレーキペダル１７の踏み込み操作量を検出するためのセンサを設けることなく、ブレーキペダル１７およびアクセルペダル２２の同時踏み込みに起因する車両１０の加速や発進を抑えることができる。
【００８６】
（第２の実施の形態）
以下、本発明の車両制御装置を具体化した第２の実施の形態について、上記第１の実施の形態との相違点を中心に説明する。なお本実施の形態にあって、第１の実施の形態と共通する構成については、同一の符号を付してその詳細な説明は省略する。
【００８７】
第１の実施の形態では、車両１０がスリップ状態であるときには、前記ＢＯＳによる内燃機関１１の出力制限の実行が禁止される。これに対して、本実施の形態では、車両１０がスリップ状態であっても、車両１０の駆動輪１４Ａと従動輪１４Ｂとの回転速度差ΔＶが判定値Ｊ２以上であるときには、前記ＢＯＳによる内燃機関１１の出力制限を禁止しないようにしている。こうした本実施の形態の装置によれば、ブレーキペダル１７およびアクセルペダル２２の同時操作による車両１０の加速や発進が的確に抑えられる。以下、その理由について説明する。
【００８８】
車両１０では、内燃機関１１の出力トルクが駆動輪１４Ａのみに伝達されるのに対して、ブレーキペダル１７の踏み込み操作による制動力は駆動輪１４Ａおよび従動輪１４Ｂの双方に作用する。そのため、ブレーキペダル１７およびアクセルペダル２２の同時操作時においてスリップが生じると、駆動輪１４Ａの回転速度と従動輪１４Ｂとの回転速度との差が大きくなる。そして、この回転速度差は、アクセルペダル２２の踏み込み操作量が大きいときほど大きくなる。
【００８９】
この点をふまえて本実施の形態の装置では、両ペダル１７，２２の同時操作時において車両１０がスリップしているために前記マスター圧推定値ＰｅｓＰｍの推定精度が低いときであっても、同車両１０の駆動輪１４Ａと従動輪１４Ｂとの回転速度差が大きいことをもって、このとき車両１０の加速や発進を招くおそれがあることを精度よく判断することができる。そして、そうした判断をもって内燃機関１１の出力制限を実行することができるため、両ペダル１７，２２の同時踏み込みに起因する車両１０の加速や発進を的確に抑えることができる。
【００９０】
以下、そうした回転速度差に基づいて判断する処理を含む本実施の形態のトルク制限処理について図６を参照しつつ説明する。
図６に示すように、車両１０がスリップ状態であると判断される場合には（ステップＳ１０６：ＹＥＳ）、車両１０の駆動輪１４Ａと従動輪１４Ｂとの回転速度差ΔＶが算出される（ステップＳ２０１）。この回転速度差ΔＶとしては、具体的には、二つの駆動輪１４Ａの車輪速ＶＳＯの平均値から二つの従動輪１４Ｂの車輪速ＶＳＯの平均値を減算した値が算出される。
【００９１】
その後、前記［条件イ］と以下の［条件ハ］とが共に満たされるか否かが判断される（ステップＳ２０２）。
［条件ハ］駆動輪１４Ａと従動輪１４Ｂとの回転速度差ΔＶが判定値Ｊ２以上であること。
【００９２】
なお判定値Ｊ２としては、両ペダル１７，２２の同時操作による車両１０の加速や発進が生じる可能性があることを的確に判断することの可能な値が実験やシミュレーションの結果をもとに予め求められてブレーキＥＣＵ３２に記憶されている。本実施の形態では、上記［条件ハ］が満たされることをもって、ブレーキペダル１７とアクセルペダル２２との同時操作によって従動輪１４Ｂの回転速度より駆動輪１４Ａの回転速度が高く且つその回転速度差が大きいこと、すなわち両ペダル１７，２２の同時操作に起因する車両１０の加速や発進を招く可能性があることを的確に判断することができる。なお本実施の形態では、上記判定値Ｊ２が第３判定値として機能する。
【００９３】
そして、［条件イ］および［条件ハ］が共に満たされると判断される場合には（ステップＳ２０２：ＹＥＳ）、両ペダル１７，２２の同時踏み込みに起因する車両１０の加速や発進を招く可能性があるとして、出力制限フラグがオン操作される（ステップＳ１１７）。これにより、内燃機関１１の出力トルクが制限されて、両ペダル１７，２２の同時踏み込みに起因する車両１０の加速や発進が抑えられる。
【００９４】
一方、［条件イ］および［条件ハ］の一方でも満たされない場合には（ステップＳ２０２：ＮＯ）、出力制限フラグがオフ操作される（ステップＳ１１８）。この場合には、マスター圧推定値ＰｅｓＰｍを精度よく算出することができないばかりか、上記回転速度差ΔＶが両ペダル１７，２２の同時踏み込みに起因する車両１０の加速や発進を招く可能性があることを示す値になっていないとして、内燃機関１１の出力トルクが制限されない。
【００９５】
このようにして、駆動輪１４Ａと従動輪１４Ｂとの回転速度差ΔＶをもとに、出力制限フラグが操作された後、本処理は一旦終了される。
他方、車両１０がスリップ状態ではないと判断される場合には（ステップＳ１０６：ＮＯ）、このときマスター圧推定値ＰｅｓＰｍを精度よく算出することができるとして、前述したステップＳ１０７以降の処理（図４および図５参照）が実行される。
【００９６】
以上説明したように、本実施の形態によれば、先の（１）に記載の効果に加えて、以下の（２）および（３）に記載する効果が得られるようになる。
（２）ブレーキペダル１７およびアクセルペダル２２の同時操作時において車両１０がスリップしているために前記マスター圧推定値ＰｅｓＰｍの推定精度が低いときであっても、同車両１０の駆動輪１４Ａと従動輪１４Ｂとの回転速度差が大きいことをもって、このとき車両１０の加速や発進を招くおそれがあることを精度よく判断することができる。そして、そうした判断をもって内燃機関１１の出力制限を実行することができるため、両ペダル１７，２２の同時踏み込みに起因する車両１０の加速や発進を的確に抑えることができる。
【００９７】
（３）駆動輪１４Ａの回転速度から従動輪１４Ｂの回転速度を減算した値を回転速度差ΔＶとして算出するようにした。そのため、この回転速度差ΔＶに基づいて、両ペダル１７，２２の同時操作によって従動輪１４Ｂの回転速度より駆動輪１４Ａの回転速度が高く且つその回転速度差が大きいこと、すなわち両ペダル１７，２２の同時操作に起因する車両１０の加速や発進を招く可能性があることを的確に判断することができる。
【００９８】
（第３の実施の形態）
以下、本発明の車両制御装置を具体化した第３の実施の形態について、上記第１の実施の形態との相違点を中心に説明する。なお本実施の形態にあって、第１の実施の形態と共通する構成については、同一の符号を付してその詳細な説明は省略する。
【００９９】
第１の実施の形態では、圧力センサ３７によって検出されるブースター負圧Ｐｖに基づいて負圧補正係数Ｃｖｃが算出されるとともに、同負圧補正係数Ｃｖｃがマスター圧推定値ＰｅｓＰｍの推定パラメータとして用いられる。これに対して本実施の形態では、圧力センサ３７が設けられない。そのため、負圧補正係数Ｃｖｃが算出されず、マスター圧推定値ＰｅｓＰｍが負圧補正係数Ｃｖｃを用いることなく推定される。そして本実施の形態では、ブレーキスイッチ３５により検出されるブレーキペダル１７の踏み込み操作の実行頻度が判定値以上になったときに、前記［条件ロ］の第２判定値βを小さい値に変更するようにしている。こうした構成によれば、以下のような作用が得られる。
【０１００】
前述したようにブレーキペダル１７の踏み込み操作が短時間において繰り返し行われてブースター負圧が殆ど無くなった状態（ほぼ大気圧になった状態）になると、ブレーキブースター１８による助勢が殆ど無い状態でブレーキペダル１７が踏み込まれる状況になってしまう。この場合には、ブレーキペダル１７の実際の踏力に対する車両１０の減速度合いが小さくなるために、その分だけ前記マスター圧推定値ＰｅｓＰｍが小さい値（低い圧力を示す値）になってしまう。
【０１０１】
本実施の形態では、そうしたブースター負圧の変化に起因するマスター圧推定値ＰｅｓＰｍの変化に合わせて、同マスター圧推定値ＰｅｓＰｍをもとに判断される［条件ロ］の閾値（第２判定値β）が小さい値に変更される。これにより、ブレーキペダル１７の踏み込み操作が短時間において繰り返し行われたとき、すなわちブースター負圧が小さくなっているときに、そうでないときと比較して、マスター圧推定値ＰｅｓＰｍが小さい状況において内燃機関１１の出力制限の実行が許可される。そのため、このとき車両１０の減速度合いが小さくなってマスター圧推定値ＰｅｓＰｍが小さくなるとはいえ、これに合わせて内燃機関１１の出力制限についての実行条件（具体的には、［条件ロ］）を変更することができ、内燃機関１１の出力制限を的確に行うことができる。
【０１０２】
以下、本実施の形態のトルク制限処理について図７を参照しつつ説明する。
図７に示すように、本処理では、前記実加速度Ｇ、駆動トルク相当加速度Ｇｄｒｖ、転がり抵抗Ｇｋ、ピッチング補正値Ｇｐに基づいて以下の関係式から、ブレーキ相当加速度Ｇｂｒｋが算出される（ステップＳ１１２）。
【０１０３】
Ｇｂｒｋ＝Ｇ−Ｇｄｒｖ−Ｇｋ＋Ｇｐ
その後、積載量推定値ＰｅｓＷに基づいて積載補正係数Ｃｗｅが算出される（ステップＳ１１４）。そして、ブレーキ相当加速度Ｇｂｒｋ、変換係数Ｃｇｐ、積載補正係数Ｃｗｅに基づいて以下の関係式から、マスター圧推定値ＰｅｓＰｍが算出される（ステップＳ３０１）。
【０１０４】
ＰｅｓＰｍ＝Ｇｂｒｋ×Ｃｇｐ×Ｃｗｅ
その後、上記第２判定値βを変更する変更条件が成立しているか否かが判断される（ステップＳ３０２）。ここでは、以下の［条件ニ］が満たされ、且つ［条件ホ］〜［条件ト］のいずれかが満たされることをもって変更条件が成立していると判断される。
［条件ニ］アクセル踏込量Ｏｔｈｒが第１判定値α以上であり、且つ同アクセル踏込量Ｏｔｈｒの単位時間あたりの変化量が所定値以下であること。
［条件ホ］上記［条件ニ］が満たされた状態が継続されている間にブレーキスイッチ３５がオン操作された回数が所定回数（例えば三回）以上であること。
［条件ヘ］上記［条件ニ］が満たされた状態が継続されている間にブレーキスイッチ３５が所定時間（例えば１秒）未満の間隔でオン操作されたこと。
［条件ト］上記［条件ニ］が満たされた状態で上記［条件ホ］および［条件ヘ］のいずれかが満たされた後の経過時間が所定時間未満であること。
【０１０５】
そして、上記変更条件が成立している場合には（ステップＳ３０２：ＹＥＳ）、ブレーキペダル１７の高い頻度での踏み込み操作によってブースター負圧が小さい状態になっているとして、第２判定値βに所定値β１が定められる（ステップＳ３０３）。なお、所定値β１としては、ブレーキペダル１７とアクセルペダル２２との同時操作による車両１０の加速や発進を招く可能性があることを前記［条件ロ］を通じて的確に判断可能な値であって、ブースター負圧が小さくなった状況に適した値が実験やシミュレーションの結果をもとに予め求められてブレーキＥＣＵ３２に記憶されている。
【０１０６】
一方、上記変更条件が成立していない場合には（ステップＳ３０２：ＮＯ）、ブースター負圧が小さい状態になっている可能性は低いとして、第２判定値βに所定値β２が定められる（ステップＳ３０４）。なお、所定値β２としては、ブレーキペダル１７とアクセルペダル２２との同時操作による車両１０の加速や発進を招く可能性があることを前記［条件ロ］を通じて的確に判断可能な値であって、ブースター負圧が小さくなっていない状況に適した値が実験やシミュレーションの結果をもとに予め求められてブレーキＥＣＵ３２に記憶されている。この所定値β２としては、上記所定値β１より大きい値が設定される。
【０１０７】
このように第２判定値βが設定された後、前記［条件イ］および［条件ロ］が共に満たされるか否かが判断される（ステップＳ１１６）。
そして、［条件イ］および［条件ロ］が共に満たされる場合には（ステップＳ１１６：ＹＥＳ）、両ペダル１７，２２の同時踏み込みに起因する車両１０の加速や発進を招く可能性があるとして、出力制限フラグがオン操作される（ステップＳ１１７）。これにより、内燃機関１１の出力トルクが制限されて、両ペダル１７，２２の同時踏み込みに起因する車両１０の加速や発進が抑えられる。
【０１０８】
一方、［条件イ］および［条件ロ］の一方でも満たされない場合には（ステップＳ１１６：ＮＯ）、出力制限フラグがオフ操作される（ステップＳ１１８）。この場合には、内燃機関１１の出力トルクが制限されない。
【０１０９】
このようにして、マスター圧推定値ＰｅｓＰｍをもとに、出力制限フラグが操作された後、本処理は一旦終了される。
以上説明したように、本実施の形態によれば、先の（１）に記載の効果と同様の効果が得られるようになる。
【０１１０】
（その他の実施の形態）
なお、上記各実施の形態は、以下のように変更して実施してもよい。
・各実施の形態において、車両１０の重量（具体的には、積載量推定値ＰｅｓＷ）を算出する方法は、運動方程式を通じて算出する方法に限らず、任意の算出方法を採用することができる。そうした車両重量の算出に用いる算出パラメータとしては、例えば着座センサやシートベルトスイッチの信号に基づき把握される搭乗者数や、燃料残量センサによって検出される燃料タンク内の燃料残量、車高センサによって検出される車高などを採用することができる。これら算出パラメータを採用する場合には、搭乗者数が多いほど、燃料残量が多いほど、車高が低いほど、車両１０の重量として重い値を算出するようにすればよい。
【０１１１】
・各実施の形態において、積載補正係数Ｃｗｅを、マップ演算を通じて算出することに代えて、予め定められた関係式をもとに算出するようにしてもよい。
・各実施の形態において、積載量推定値ＰｅｓＷをマスター圧推定値ＰｅｓＰｍの推定パラメータとして用いることに代えて、積載量推定値ＰｅｓＷに応じて［条件ロ］の第２判定値βを可変設定してもよい。こうした構成においては、積載量推定値ＰｅｓＷが大きいときほど、第２判定値βとして小さい値を設定すればよい。同構成によれば、同一の踏力でブレーキペダル１７を操作した場合であっても車両重量が重いときほど車両１０の減速度合いが小さくなってマスター圧推定値ＰｅｓＰｍが小さい値になるとはいえ、そうしたマスター圧推定値ＰｅｓＰｍの変化に合わせて第２判定値βを変更することができる。したがって、ブレーキペダル１７とアクセルペダル２２との同時操作による車両１０の加速や発進を的確に抑えることができる。
【０１１２】
・各実施の形態において、積載量推定値ＰｅｓＷを算出する構成や、積載量推定値ＰｅｓＷをマスター圧推定値ＰｅｓＰｍの推定パラメータとして用いる構成を省略することができる。
【０１１３】
・第１および第２の実施の形態において、圧力センサ３７によって検出されるブースター負圧Ｐｖに基づいて負圧補正係数Ｃｖｃを算出することに代えて、マスターシリンダー圧の指標値に基づいて負圧補正係数を算出するようにしてもよい。なお、マスターシリンダー圧の指標値としては、例えばブレーキスイッチ３５により検出されるブレーキペダル１７の踏み込み操作タイミングや、ブレーキペダル１７の踏み込み操作の継続時間、ブレーキペダル１７の踏み込みが解除された後の経過時間などを採用することができる。
【０１１４】
・第１および第２の実施の形態において、負圧補正係数Ｃｖｃを、マップ演算を通じて算出することに代えて、予め定められた関係式をもとに算出するようにしてもよい。
・第１および第２の実施の形態において、ブースター負圧Ｐｖをマスター圧推定値ＰｅｓＰｍの推定パラメータとして用いることに代えて、ブースター負圧Ｐｖに応じて［条件ロ］の第２判定値βを可変設定してもよい。同構成においては、ブースター負圧Ｐｖが小さいときほど、すなわちブレーキブースター１８の定圧室２３の圧力と大気圧との差圧が小さいときほど、第２判定値βとして小さい値を設定すればよい。同構成によれば、同一の踏力でブレーキペダル１７を操作した場合であってもブースター負圧Ｐｖが小さいときほど車両１０の減速度合いが小さくなってマスター圧推定値ＰｅｓＰｍが小さい値になるとはいえ、そうしたマスター圧推定値ＰｅｓＰｍの変化に合わせて第２判定値βを変更することができる。したがって、ブレーキペダル１７とアクセルペダル２２との同時操作による車両１０の加速や発進を的確に抑えることができる。
【０１１５】
・第１および第２の実施の形態において、圧力センサ３７や、圧力センサ３７によって検出されるブースター負圧Ｐｖをマスター圧推定値ＰｅｓＰｍの推定パラメータとして用いる構成を省略してもよい。
【０１１６】
・各実施の形態の車両制御装置は、前部の車輪１４が内燃機関１１の出力トルクの伝達されない従動輪として機能するとともに、後部の車輪１４が同出力トルクの伝達される駆動輪として機能する、いわゆる後輪駆動車にも適用することができる。
【０１１７】
・第１および第３の実施の形態の車両制御装置は、例えば四輪駆動車などといった全ての車輪が駆動輪である車両にも適用することができる。
・各実施の形態において、車両１０がスリップ状態であることを判定する方法は任意に変更することができる。車両１０がスリップ状態であることを判定する条件としては、例えば「各車輪１４の車輪速ＶＳＯの最大値と最小値との差が所定値以上であること」との条件や、「各車輪１４の車輪速ＶＳＯの平均値といずれかの車輪１４の車輪速ＶＳＯとの差が所定値以上であること」との条件を設定することができる。また速度センサ３６により検出される車輪速ＶＳＯに基づきスリップ状態を判定する方法に限らず、自動変速機１２のギア位置Ｐｇｅａｒと推定車体速度Ｖｒｅｆとの関係をもとにスリップ状態を判定することなども可能である。
【０１１８】
・第２の実施の形態において、ブレーキペダル１７およびアクセルペダル２２の同時操作時に同ブレーキペダル１７の踏み込み操作の実行頻度が高くなったことを判定可能な条件であれば、変更条件は任意に変更することができる。例えば前記［条件ニ］に代えて、「アクセル踏込量Ｏｔｈｒが第１判定値α以上であること」との条件を設定することができる。また［条件ト］を省略したり、［条件ホ］および［条件ヘ］の一方を省略したりしてもよい。
【０１１９】
・各実施の形態の車両制御装置は、加速度センサの検出軸と平坦路での車両停止時において路面に並行になる方向とが一致するように同加速度センサが取り付けられた車両であれば、二軸の検出軸を有する加速度センサが採用された車両にも適用することができる。
【０１２０】
・各実施の形態において、推定車体加速度ΔＶｒｅｆを車輪速ＶＳＯに基づき算出することに代えて、車軸１３の回転速度を検出するとともにその検出値に基づき推定車体加速度を算出するようにしてもよい。
【０１２１】
・各実施の形態において、機関トルクＴｅｎｇとして機関ＥＣＵ３１から受信した値を用いることに代えて、車両１０の運転状態（具体的には、アクセル踏込量Ｏｔｈｒや、機関回転速度、吸入空気量など）に基づいてブレーキＥＣＵ３２により機関トルクを算出して用いるようにしてもよい。
【０１２２】
・各実施の形態において、ピッチング補正値Ｇｐを、マップ演算を通じて算出することに代えて、予め定められた関係式をもとに算出するようにしてもよい。
・各実施の形態において、車両１０の姿勢角を検出する姿勢角センサや車高を検出する車高センサを設けるとともに同センサの検出信号に基づいて車両１０の姿勢変化分を検出し、その検出値に基づいてピッチング補正値Ｇｐを算出するようにしてもよい。
【０１２３】
・各実施の形態において、ピッチング補正値Ｇｐを、車両停止時および車両走行時のいずれか一方においてのみ算出するようにしてもよい。
・各実施の形態において、ピッチング補正値Ｇｐを算出する処理や、同ピッチング補正値Ｇｐをマスター圧推定値ＰｅｓＰｍの推定パラメータとして用いる構成を省略してもよい。この場合には、推定車体加速度ΔＶｒｅｆを算出する処理を省略することもできる。
【０１２４】
・第２の実施の形態の構成と第３の実施の形態の構成とを組み合わせて実施することができる。
・各実施の形態では、内燃機関１１の運転制御をアイドル運転時における制御態様に変更することによって、同内燃機関１１の出力トルクを制限するようにした。これに代えて、内燃機関１１の出力トルクに上限値を設定したり、内燃機関１１の運転（具体的には、燃料噴射や点火動作）を停止したりしてもよい。また、内燃機関１１の出力トルクを制限することに代えて、自動変速機１２をニュートラル状態にするようにしてもよい。要は、内燃機関１１から車両１０の車軸１３に伝達される駆動トルクを制限することにより、ブレーキペダル１７およびアクセルペダル２２の同時操作による車両１０の加速や発進を抑えることができる。
【０１２５】
・各実施の形態において、推定車体速度Ｖｒｅｆを車輪速ＶＳＯに基づき算出することに代えて、車軸１３の回転速度を推定車体速度として検出するようにしてもよい。
・各実施の形態において、マスター圧推定値ＰｅｓＰｍを算出することに代えて、ブレーキペダル１７の踏力そのものの推定値を算出するようにしてもよい。要は、ブレーキペダル１７の踏力の指標値や同踏力そのものを推定するととともに、その推定値した値（ブレーキ踏力推定値）に基づいてブレーキペダル１７およびアクセルペダル２２の同時踏み込みを判定すればよい。
【符号の説明】
【０１２６】
１０…車両、１１…内燃機関、１２…自動変速機、１３…車軸、１４…車輪、１４Ａ…駆動輪、１４Ｂ…従動輪、１５…吸気通路、１６…スロットルバルブ、１７…ブレーキペダル、１８…ブレーキブースター、１９…マスターシリンダー、２０…ディスクブレーキ装置、２１…ブレーキアクチュエーター、２２…アクセルペダル、２３…定圧室、２４…変圧室、２５…真空弁、２６…大気弁、２７…ピストン、３１…機関ＥＣＵ（出力算出手段）、３２…ブレーキＥＣＵ（踏力推定手段、トルク制限手段、制限禁止手段、速度差算出手段）、３３…アクセルセンサ、３４…加速度センサ、３５…ブレーキスイッチ、３６…速度センサ、３７…圧力センサ。
【図１】
2012097622.tif 000003
【図２】
2012097622.tif 000004
【図３】
2012097622.tif 000005
【図４】
2012097622.tif 000006
【図５】
2012097622.tif 000007
【図６】
2012097622.tif 000008
【図７】
2012097622.tif 000009